(57)【要約】【課題】、コンテンツの販売を促進可能にする技術を提供する。【解決手段】外部端末３００とネットワークを介して接続されるコンテンツ管理システム５００であって、コンテンツ１１０が記憶されているコンテンツ記憶部２３０と、外部端末３００からの要求に応じてコンテンツ記憶部２３０に記憶されているコンテンツ１１０を含む画像切出画面を、外部端末３００に提供する、画像切出画面提供部２１０と、画像切出画面を介して入力されるコンテンツ１１０内の領域に基づき、コンテンツ１１０から切出画像を切り出す切出画像提供部２２０と、を有し、切出画像提供部２２０は、コンテンツ１１０のコンテンツ販売先リンクを切出画像に付加したリンク画像を生成する【選択図】図１
2018180612.tif 000002
【特許請求の範囲】
【請求項１】
外部端末とネットワークを介して接続されるコンテンツ管理システムであって、
コンテンツが記憶されているコンテンツ記憶部と、
前記外部端末からの要求に応じて前記コンテンツ記憶部に記憶されている前記コンテンツを含む画像切出画面を、前記外部端末に提供する、画像切出画面提供部と、
前記画像切出画面を介して入力される前記コンテンツ内の領域に基づき、前記コンテンツから切り出される切出画像を表示させるための切出画像表示タグを発行する、切出画像提供部と、
を有し、
前記切出画像表示タグは、コンテンツ管理システム内におけるコンテンツが記憶されている位置および前記切出画像が切り出される領域である画像切出領域を特定するためのコンテンツＵＲＬを含み、
前記切出画像提供部は、前記切出画像表示タグが埋め込まれたメディア記事にアクセスがされると、前記切出画像表示タグから特定される切出画像を提供する、  コンテンツ管理システム。
【請求項２】
請求項１に記載のコンテンツ管理システムにおいて、
前記切出画像表示タグは、前記コンテンツのコンテンツ販売先リンクと、画像の属性や性質を表す性質情報とを含む、コンテンツ管理システム。
【請求項３】
請求項１に記載のコンテンツ管理システムにおいて、
コンテンツ管理システムとネットワークを介して接続されるコンテンツ提供者端末により、前記コンテンツがアップロードされる、コンテンツ管理システム。
【請求項４】
請求項１に記載のコンテンツ管理システムにおいて、
前記画像切出画面には、前記切出画像が切り出される領域である画像切出領域の範囲が指定される被切出画像が表示され、
前記被切出画像と前記画像切出領域とは異なる態様で表示される、コンテンツ管理システム。
【請求項５】
請求項４に記載のコンテンツ管理システムにおいて、
前記画像切出画面は、前記画像切出領域の前記被切出画像内における位置を移動させるための入力を受け付ける、コンテンツ管理システム。
【請求項６】
請求項１に記載のコンテンツ管理システムにおいて、
前記切出画像提供部は、入力を受け付けた画像の属性や性質を表す性質情報と対応するコマデータを一覧で表示するコマデータ検索画面を提供する、コンテンツ管理システム。
【請求項７】
外部端末とネットワークを介して接続されるコンテンツ管理システムにおけるコンテンツ販促方法であって、
画像切出画面提供部が、前記外部端末からの要求に応じてコンテンツ記憶部に記憶されているコンテンツを含む画像切出画面を、前記外部端末に提供する、画像切出画面提供ステップと、
切出画像提供部が前記画像切出画面を介して入力される前記コンテンツ内の領域に基づき、前記コンテンツから切り出される切出画像を表示させるための切出画像表示タグを発行する画像表示タグ発行ステップと、
を有し、
前記切出画像表示タグは、コンテンツ管理システム内におけるコンテンツが記憶されている位置および前記切出画像が切り出される領域である画像切出領域を特定するためのコンテンツＵＲＬを含み、
切出画像提供部が、前記切出画像表示タグが埋め込まれたメディア記事にアクセスがされると、前記切出画像表示タグから特定される切出画像を提供する、切出画像提供ステップと、
を有する、コンテンツ販促方法。
【請求項８】
外部端末とネットワークを介して接続されるコンテンツ管理システムのコンピュータに実行させるためのコンテンツ販促プログラムであって、
画像切出画面提供部が、前記外部端末からの要求に応じてコンテンツ記憶部に記憶されているコンテンツを含む画像切出画面を、前記外部端末に提供する、画像切出画面提供ステップと、
切出画像提供部が前記画像切出画面を介して入力される前記コンテンツ内の領域に基づき、前記コンテンツから切り出される切出画像を表示させるための切出画像表示タグを発行する画像表示タグ発行ステップと、
を有し、
前記切出画像表示タグは、コンテンツ管理システム内におけるコンテンツが記憶されている位置および前記切出画像が切り出される領域である画像切出領域を特定するためのコンテンツＵＲＬを含み、
切出画像提供部が、前記切出画像表示タグが埋め込まれたメディア記事にアクセスがされると、前記切出画像表示タグから特定される切出画像を提供する、切出画像提供ステップと、
を前記コンピュータに実行させる、コンテンツ販促プログラム。
【発明の詳細な説明】
【技術分野】
【０００１】
本発明は、コンテンツ管理システムおよびコンテンツ販促方法ならびにコンテンツ販促プログラムに関する。
【背景技術】
【０００２】
近年、動画（映画、アニメなど）や、画像（漫画、写真集、小説など）や、音声等のコンテンツをウェブサイト経由で購入するサービスが普及してきている。
【０００３】
例えば、特開２０１６−６６３５０号公報（特許文献１）には、小画面に表示される漫画のユーザに対する視認性を向上させる一例として、「仲介システムを利用するユーザを識別する第１のユーザ識別情報と、電子書籍を販売する販売システムを該ユーザが利用するための第２のユーザ識別情報とを関連付けて記憶するユーザ情報記憶部と、操作端末から、ユーザを識別する前記第１のユーザ識別情報と、書籍を識別するための書籍識別情報とを受信する受信部と、前記受信部で受信した前記第１のユーザ識別情報に関連付けて前記ユーザ情報記憶部に記憶されている前記第２のユーザ識別情報と、前記受信部で受信した前記書籍識別情報により識別される書籍の電子書籍の注文を行う注文要求と、を前記販売システムに送信する代理注文部と、前記代理注文部により送信された注文要求に基づいた注文により前記電子書籍が購入されたことに応じて前記販売システムから送信される決済結果を受信する決済結果受信部と、前記決済結果受信部で受信した決済結果に基づいて、前記販売システムを提供する提供者に課金するための課金情報を更新する課金情報更新部とを含む、システム」が記載されている。
【先行技術文献】
【特許文献】
【０００４】
【特許文献１】特開２０１６−６６３５０号公報
【発明の概要】
【発明が解決しようとする課題】
【０００５】
特許文献１に記載されている技術では、紙の書籍に対応するコンテンツ（電子書籍）の購入を仲介できる。しかしながら、特許文献１に記載されている技術では、コンテンツの販売を促進させることまでは考慮されていない。
本発明の目的は、コンテンツの販売を促進可能にする技術を提供することである。
【課題を解決するための手段】
【０００６】
本願において開示される発明のうち、代表的なものの概要を簡単に説明すれば、次の通りである。
【０００７】
本発明の一実施の形態のコンテンツ管理システムは、外部端末とネットワークを介して接続されるコンテンツ管理システムであって、コンテンツが記憶されているコンテンツ記憶部を有する。また、前記外部端末からの要求に応じて前記コンテンツ記憶部に記憶されている前記コンテンツを含む画像切出画面を、前記外部端末に提供する、画像切出画面提供部を有する。また、前記画像切出画面を介して入力される前記コンテンツ内の領域に基づき、前記コンテンツから切り出される切出画像を表示させるための切出画像表示タグを発行する、切出画像提供部を有する。また、前記切出画像表示タグは、コンテンツ管理システム内におけるコンテンツが記憶されている位置および前記切出画像が切り出される領域である画像切出領域を特定するためのコンテンツＵＲＬを含み、前記切出画像提供部は、前記切出画像表示タグが埋め込まれたメディア記事にアクセスがされると、前記切出画像表示タグから特定される切出画像を提供する。
【０００８】
本発明の一実施の形態のコンテンツ販促方法は、外部端末とネットワークを介して接続されるコンテンツ管理システムにおけるコンテンツ販促方法であって、画像切出画面提供部が、前記外部端末からの要求に応じてコンテンツ記憶部に記憶されているコンテンツを含む画像切出画面を、前記外部端末に提供する、画像切出画面提供ステップを有する。また、切出画像提供部が前記画像切出画面を介して入力される前記コンテンツ内の領域に基づき、前記コンテンツから切り出される切出画像を表示させるための切出画像表示タグを発行する画像表示タグ発行ステップを有する。また、前記切出画像表示タグは、コンテンツ管理システム内におけるコンテンツが記憶されている位置および前記切出画像が切り出される領域である画像切出領域を特定するためのコンテンツＵＲＬを含み、切出画像提供部が、前記切出画像表示タグが埋め込まれたメディア記事にアクセスがされると、前記切出画像表示タグから特定される切出画像を提供する、切出画像提供ステップを有する。
【０００９】
本発明の一実施の形態のコンテンツ販促プログラムは、外部端末とネットワークを介して接続されるコンテンツ管理システムのコンピュータに実行させるためのコンテンツ販促プログラムであって、画像切出画面提供部が、前記外部端末からの要求に応じてコンテンツ記憶部に記憶されているコンテンツを含む画像切出画面を、前記外部端末に提供する、画像切出画面提供ステップを前記コンピュータに実行させる。また、切出画像提供部が前記画像切出画面を介して入力される前記コンテンツ内の領域に基づき、前記コンテンツから切り出される切出画像を表示させるための切出画像表示タグを発行する画像表示タグ発行ステップを前記コンピュータに実行させる。また、前記切出画像表示タグは、コンテンツ管理システム内におけるコンテンツが記憶されている位置および前記切出画像が切り出される領域である画像切出領域を特定するためのコンテンツＵＲＬを含み、切出画像提供部が、前記切出画像表示タグが埋め込まれたメディア記事にアクセスがされると、前記切出画像表示タグから特定される切出画像を提供する、切出画像提供ステップを前記コンピュータに実行させる。
【発明の効果】
【００１０】
本願において開示される発明のうち、代表的なものによって得られる効果を簡単に説明すれば以下のとおりである。
本発明の代表的な実施の形態によれば、コンテンツの販売を促進できる。
【図面の簡単な説明】
【００１１】
【図１】本発明の一実施の形態におけるコンテンツ販促システムの構成例の概要を示す図である。
【図２】本発明の一実施の形態におけるコンテンツ管理システムのコンテンツ記憶部に記憶されているコンテンツデータの構成例の概要を示す図である。
【図３】本発明の一実施の形態におけるコンテンツ管理システムのコンテンツ記憶部に記憶されているコマデータの構成例の概要を示す図である。
【図４】本発明の一実施の形態における外部端末のディスプレイに表示される画像切出画面の構成例の概要を示す図である。
【図５】本発明の一実施の形態における外部端末のディスプレイに表示される画像切出画面の構成例の概要を示す図である。
【図６】本発明の一実施の形態における外部端末のディスプレイに表示される画像切出画面の構成例の概要を示す図である。
【図７】本発明の一実施の形態における外部端末のディスプレイに表示される画像切出画面の構成例の概要を示す図である。
【図８】本発明の一実施の形態における外部端末のディスプレイに表示されるコンテンツ記事の概要を示す図であって、リンク画像を含まない場合の例を示す。
【図９】本発明の一実施の形態における外部端末のディスプレイに表示されるコンテンツ記事の概要を示す図であって、リンク画像を含む場合の例を示す。
【図１０】本発明の一実施の形態におけるコンテンツ販促システムの全体処理の概要を示す図である。
【図１１】本発明の一実施の形態における外部端末のディスプレイに表示されるコード表示画面の構成例の概要を示す図である。
【図１２】本発明の一実施の形態における外部端末のディスプレイに表示されるコマデータ検索画面の構成例の概要を示す図である。
【発明を実施するための形態】
【００１２】
以下、本発明の実施の形態を図面に基づいて詳細に説明する。なお、実施の形態を説明するための全図において、同一部には原則として同一の符号を付し、その繰り返しの説明は省略する。
＜システム構成＞
【００１３】
図１は、本発明の一実施の形態におけるコンテンツ販促システム１０の構成例の概要を示す図である。図１に示されるように、コンテンツ販促システム１０は、出版社などのコンテンツ提供者により利用されるコンテンツ提供者端末１００と、コンテンツ提供者端末１００とネットワークを介して接続されるコンテンツ管理システム２００と、コンテンツ管理システム２００とネットワークを介して接続される外部端末３００と、外部端末３００により作成されるコンテンツ記事３１０を閲覧する消費者端末４００と、消費者へコンテンツを販売するコンテンツ販売システム５００とを有する。
【００１４】
コンテンツ提供者端末１００は、コンテンツ（電子書籍や動画や静止画像や音声など）１１０をコンテンツ管理システム２００に提供（アップロード）する。コンテンツ１１０は、複数または単数の画像や、音声データや、音声データなどによって構成される。
コンテンツ管理システム２００は、コンテンツ提供者端末１００により提供されたコンテンツ１１０の管理および販売の促進を行う。
コンテンツ管理システム２００は、画像切出画面提供部２１０と、切出画像提供部２２０と、コンテンツ記憶部２３０と、コマデータ記憶部２４０とを有する。
コンテンツ記憶部２３０には、コンテンツ提供者端末１００により提供されたコンテンツ１１０のコンテンツデータ（後述、図２）が記憶されている。
コマデータ記憶部２４０には、切り出された切出画像を表示させるためのコマデータ（後述、図３）が記憶されている。
【００１５】
コンテンツ管理システム２００の画像切出画面提供部２１０は、外部端末３００からの要求に応じてコンテンツ記憶部２３０に記憶されているコンテンツ１１０を含む画像切出画面（後述、図４〜図７）を生成する。
【００１６】
そして、画像切出画面提供部２１０は、生成した画像切出画面を外部端末３００に提供する。例えば、画像切出画面提供部２１０は、画像切出画面を表示するための画面データを外部端末３００へ送信することで画像切出画面を提供する。
【００１７】
コンテンツ管理システム２００の切出画像提供部２２０は、画像切出画面を介して外部端末３００により入力される画像切出領域に基づき、コンテンツ１１０から切出画像を切り出す。
【００１８】
そして、切出画像提供部２２０は、コンテンツ１１０に含まれる切出画像を表示させるための切出画像表示タグ（例えば、アフィリエイト専用のＵＲＬであるアフィリエイトタグ）を発行する。そして、切出画像提供部２２０は、発行した切出画像表示タグを外部端末３００へ送信（提供）する。例えば、切出画像提供部２２０は、切出画像表示タグを含むコード表示画面（後述、図１１）を、外部端末３００に提供する。
外部端末３００は、コンテンツ管理システム２００により送信（提供）された切出画像表示タグをメディア記事３１０に埋め込む。例えば、外部端末３００は、コード表示画面に表示される切出画像表示タグを、メディア記事３１０に埋め込む。
【００１９】
切出画像表示タグは、コンテンツＵＲＬ（コンテンツ管理システム２００内におけるコンテンツ１１０が記憶されている位置および画像切出領域を特定するためのＵＲＬ）を含む。また、切出画像表示タグは、コンテンツ販売先リンクを含む。また、切出画像表示タグは、切り出した画像を表示する倍率（例えば、１０％〜１０００％の倍率を選択できる）や、記事内で画像を表示させる位置を指定するための表示情報（記事内で画像を中央に表示させるか、左寄せで表示させるか、右寄せで表示させるかを指定するための情報）を含む。
【００２０】
切出画像表示タグが埋め込まれたメディア記事３１０にアクセスがされると、コンテンツ管理システム２００は、切出画像表示タグから特定される切出画像にコンテンツ販売先リンクを付加したリンク画像を、消費者端末４００に提供する。
これによって、コンテンツ管理システム２００の切出画像提供部２２０は、コンテンツ１１０のコンテンツ販売先リンクを切出画像に付加して提供できる。
【００２１】
外部端末３００は、コンテンツ１１０を紹介、レビューするメディア（媒体）によって使用される端末である。外部端末３００は、コンテンツ記事３１０をアップロードし、更新するための各種入力を受け付ける。
【００２２】
また、外部端末３００のディスプレイは、コンテンツ管理システム２００により提供される画像切出画面を表示する。そして、外部端末３００は、画像切出画面を介して、コンテンツ１１０から画像を切り出すための入力を受け付ける。
【００２３】
消費者端末４００は、コンテンツ１１０の消費者によって使用される端末である。例えば、消費者端末４００は、コンテンツ記事３１０を閲覧する際に利用される。また、消費者端末４００は、コンテンツ販売システム５００のサイト（ＥＣサイトや電子書店など）にアクセスし、所望のコンテンツ１１０を購入するための入力を受け付ける。
【００２４】
外部端末３００により作成されたコンテンツ記事３１０を介して消費者が、コンテンツ１１０を購入した場合、コンテンツ管理システム２００により、外部端末３００の使用者に売上の一部が入金される。
【００２５】
また、コンテンツ管理システム２００が作成したリンク画像を介してコンテンツが購入された場合、コンテンツ販売システム５００により、コンテンツ管理システム２００へ入金され、その後、コンテンツ管理システム２００により外部端末３００へ入金される。さらに、コンテンツ販売システム５００により、取次６００を介してコンテンツ提供者端末１００（またはコンテンツ提供端末１００の運営者）へ入金される。
＜コンテンツデータ＞
【００２６】
図２は、本発明の一実施の形態におけるコンテンツ管理システム２００のコンテンツ記憶部２３０に記憶されているコンテンツデータの構成例の概要を示す図である。
【００２７】
図２に示されるように、コンテンツデータは、[コンテンツＩＤ]、[コンテンツ]、[コンテンツ販売先リンク]などのデータ項目により構成される。[コンテンツＩＤ]は、コンテンツを識別するための符号を示す。[コンテンツ]は、コンテンツを表示するための画像データである。[コンテンツ販売先リンク]は、コンテンツを販売するサイトの位置を特定するための状況である。[コンテンツ販売先リンク]は、例えば、ＵＲＬ（Ｕｎｉｆｏｒｍ  Ｒｅｓｏｕｒｃｅ  Ｌｏｃａｔｏｒ）のデータ形式によって記述される。
＜コマデータ＞
図３は、本発明の一実施の形態におけるコンテンツ管理システム２００のコマデータ記憶部２４０に記憶されているコマデータの構成例の概要を示す図である。
【００２８】
図３に示されるように、コマデータは、[コンテンツＩＤ]、[切出画像表示タグ]、[画像切出領域データ]、[表情]、[共有ＵＲＬ]などのデータ項目によって構成される。[切出画像表示タグ]は、コンテンツＵＲＬ（コンテンツ管理システム２００内におけるコンテンツ１１０が記憶されている位置）と、コンテンツ販売先リンクとを含む。[画像切出領域データ]は、画像切出領域を特定するためのデータである。画像切出領域データは、座標であって、例えば、始点４０２および終点４０３の座標からなる。この場合、始点４０２と終点４０３とを結ぶ対角線を含む四角形内の範囲が、画像切出領域となる。[表情]は、画像切出領域内に含まれる画像（顔の画像など）の表情（無表情、怒り、悲しみ、照れる、焦り、後悔、困る、疑問、驚き、笑い、笑顔、涙など）を示す。なお、[表情]は、画像の属性や、性質を表す性質情報の一例である。性質情報は、画像の対象物（人物、男、女、子供、風景、動物など）や、画像に含まれる人物などの行動（立つ、座る、運動）や、画像の利用シーン（ほめる、励ます、嬉しい、感謝、煽る、ドン引き）などが該当する。[共有ＵＲＬ]は、切出画像を閲覧するためのページのＵＲＬを示す。
【００２９】
なお、性質情報は、画像や漫画が属するカテゴリ（挨拶、恋愛、ビジネス、グルメ、子育て）や、漫画の読者層の性別、年齢が該当する。また、性質情報は、漫画の出版元や、作者名や、漫画が連載された期間が該当する。また、性質情報は、画像の中のキャラクターの性別や、年齢などが該当する。また、性質情報は、画像に含まれるセリフの属性（感謝、怒り、挨拶など）や、画像にセルフが含まれているかいないかの別が該当する。
なお、[切出画像表示タグ]が、コンテンツＵＲＬとコンテンツ販売先リンクと画像切出領域データとを含むようにしても良いし、コンテンツ販売先リンクと画像切出領域データのみを含むようにしても良い。また、[切出画像表示タグ]が、性質情報を含むようにしても良い。
＜画像切出画面＞
【００３０】
図４〜図７は、本発明の一実施の形態における外部端末３００のディスプレイに表示される画像切出画面の構成例の概要を示す図である。なお、図４〜図７は、コンテンツが漫画である場合を例に説明する。
【００３１】
まず、外部端末３００のディスプレイは、図４に示される画像切出画面を表示する。図４に示される画像切出画面には、コンテンツを構成する複数の画像（一つの画像が、漫画１ページ分に相当する）３０１が並べられて一覧で表示される。
【００３２】
外部端末３００は、画像切出画面を介して画像３０１を選択するための入力を受け付ける。これによって、切出画像（漫画のコマや、キャラクターの顔の画像など）３０５が切り出される画像３０１が選択される。いずれかの画像３０１が選択されると、外部端末３００のディスプレイには、図５に示される画像切出画面が表示される。なお、漫画の１話または１巻分の画像を上下や左右にスクロールすることで表示可能にしても良い。
【００３３】
図５に示される画像切出画面には、選択された画像３０１を判別するためのカーソル３０２が表示される。また、図５に示される画像切出画面には、切出画像を指定するための被切出画像３０３が表示される。被切出画像３０３に画像切出領域が指定されることで、切出画像が切り出される。
なお、図５に示されるように、被切出画像３０３は、他の画像３０１と異なる態様（例えば、色の色相や、明度や、再度などが異なる態様）で表示される。
外部端末３００が、画像切出領域を特定するための入力を受け付けると、外部端末３００のディスプレイには、図６に示される画像切出画面が表示される。
【００３４】
なお、図６に示されるように、外部端末３００は、始点４０２の座標および終点４０３の座標を、画像切出領域３０４を特定するための画像切出領域データとして入力を受け付ける。また、外部端末３００は、始点４０２および終点４０３を対角線とする四角形内の範囲を、画像切出領域３０４として入力を受け付ける。
【００３５】
なお、画像切出領域は、多角形であっても良い。その場合、外部端末３００は、多角形の角頂点の座標の入力を受け付けることで、画像切出領域を特定するための入力を受け付けるようにしても良い。
さらに、画像切出領域は、外部端末３００が入力を受け付ける複数の座標を結ぶことで形成される任意の図形であっても良い。
【００３６】
図６に示される画像切出画面には、画像切出領域３０４が、被切出画像３０３内に表示される。また、被切出画像３０３と、画像切出領域３０４とは異なる態様（例えば、色の色相や、明度や、再度などが異なる態様）で表示される。さらに、画像切出画面には、画像切出領域３０４から切り出された切出画像３０５が表示される。
【００３７】
ここで、図６に示される画像切出画面では、切出画像３０５が対象からずれているため、画像切出領域３０４を修正後の領域３０６へ調整したいという場合がある。特に、コンテンツが漫画である場合には、キャラクターの顔などが切出画像３０５内に漏れなく納まるようにするために、画像切出領域３０４を修正後の領域３０６まで移動させることが必要になる。
そのため、外部端末３００の入力装置は、画像切出画面を介して画像切出領域３０４の被切出画像３０３内における位置を移動させるための操作を受け付ける。
【００３８】
例えば、外部端末３００の入力装置がマウスである場合、ドラッグ＆ドロップ操作をすることで、画像切出領域３０４を修正後の領域３０６まで移動させるようにしても良い。より詳細には、マウスが画像切出領域３０４を選択した状態（選択ボタンが押下されている状態）で画像切出領域を修正後の領域３０６まで移動させ、その後画像切出領域３０４を選択した状態を解除（選択ボタンをリリースする）することで、画像切出領域３０４を修正後の領域３０６まで移動させる。
画像切出領域３０４を修正後の領域３０６まで移動させると、外部端末３００のディスプレイには図７に示される画像切出画面が表示される。
【００３９】
図７に示されるように、画像切出領域３０４は、修正後の領域３０６まで移動されている。また、それに伴い、切出画像３０５も、修正後の領域３０６で切り出された画像へと修正されている。
【００４０】
リンク画像生成ボタン３０７が押下されると、切出画像提供部２２０は、切出画像表示タグ（埋め込みコード）と、共有ＵＲＬとを発行し、発行した切出画像表示タグと、共有ＵＲＬと、コンテンツＩＤと、画像切出領域データとを対応付けてコマデータ記憶部２４０に記憶する。また、切出画像提供部２２０は、発行した切出画像表示タグと、共有ＵＲＬとを含むコード表示画面（後述、図１１）を外部端末３００へ提供する。
【００４１】
なお、切出画像表示タグは、漫画から画像を切り出す始点４０２の座標と終点４０３の座標を含む。また、切出画像表示タグは、切り出した画像を表示する倍率（例えば、１０％〜１０００％の倍率を選択できる）や、記事内で画像を表示させる位置を指定するための表示情報（記事内で画像を中央に表示させるか、左寄せで表示させるか、右寄せで表示させるかを指定するための情報）を含む。切出画像表示タグをメディアの記事に埋め込むことで、記事に切出画像３０５を所望の大きさ、位置で表示させることができる。
【００４２】
上述したように、コンテンツ管理システム２００の画像切出画面提供部２１０は、外部端末３００からの要求に応じてコンテンツ記憶部２３０に記憶されているコンテンツ１１０を含む画像切出画面を、外部端末３００に提供する。
【００４３】
また、コンテンツ管理システム２００の切出画像提供部２２０は、画像切出画面を介して入力されるコンテンツ１１０内の領域に基づき、コンテンツ１１０から切出画像３０５を切り出し、切出画像３０５を外部端末３００に提供する。
＜コード表示画面＞
【００４４】
図１１は、本発明の一実施の形態における外部端末３００のディスプレイに表示されるコード表示画面の構成例の概要を示す図である。なお、図１１は、コンテンツが漫画である場合を例に説明する。
【００４５】
図１１に示されるように、コード表示画面には、前述した画像切出画面にて切り出した切出画像３０５が表示される。また、コード表示画面には、切出画像提供部２２０により発行された切出画像表示タグ（埋め込みコード）１１０１と、共有ＵＲＬ１１０２とが表示される。
【００４６】
また、コード表示画面には、切り出した画像を表示する倍率（例えば、１０％〜１０００％の倍率を選択できる）や、記事内で画像を表示させる位置を指定するための表示情報の入力を受け付けるための表示情報入力欄１１０３が表示される。
また、コード表示画面には、性質情報の入力を受け付ける性質情報入力欄１１０４が表示される。
【００４７】
表示情報入力欄１１０３が選択を受け付ける（倍率の入力を受け付けるようにしても良い）と、切出画像提供部２２０は、入力された内容を反映した切出画像表示タグ（埋め込みコード）を発行する。例えば、切出画像３０５を「中央寄せ」させるための入力を表示情報入力欄１１０３が受け付けた場合、切出画像提供部２２０は、切出画像３０５を記事の中央に表示させるための切出画像表示タグ（埋め込みコード）を発行する。そして、切出画像提供部２２０は、発行後の切出画像表示タグ１１０１をコード表示画面に表示する。また、切出画像提供部２２０は、コンテンツＩＤと、新たな切出画像表示タグと、共有ＵＲＬと、画像切出領域データと、性質情報とを対応付けてコマデータ記憶部２４０に記憶する。
【００４８】
また、性質情報入力欄１１０４が入力を受け付けた場合、切出画像提供部２２０は、入力を受け付けた性質情報と、コンテンツＩＤと、切出画像表示タグと、と、共有ＵＲＬと、画像切出領域データと、を対応付けてコマデータ記憶部２４０に記憶する。
＜コマデータ検索画面＞
【００４９】
図１２は、本発明の一実施の形態における外部端末３００のディスプレイに表示されるコマデータ検索画面の構成例の概要を示す図である。なお、図１２は、コンテンツが漫画である場合を例に説明する。
【００５０】
図１２に示されるように、コマデータ検索画面には、検索キー入力欄１２０１が表示される。検索キー入力欄１２０１に切出画像３０５を検索するための検索キー（性質情報）が入力されると、切出画像提供部２２０は、入力された検索キーでコマデータ記憶部２４０を検索し、対応するコマデータを抽出する。そして、切出画像提供部２２０は、抽出した切出画像３０５を一覧で表示するコマデータ検索画面を生成し、生成したコマデータ検索画面を外部端末３００に提供する。
＜コンテンツ記事＞
【００５１】
図８および図９は、本発明の一実施の形態における消費者端末４００のディスプレイに表示されるコンテンツ記事３１０の概要を示す図である。図８は、リンク画像を含まないコンテンツ記事の例を示し、図９は、リンク画像を含むコンテンツ記事３１０の例を示す。
図８に示されるコンテンツ記事３１０では、コンテンツのタイトル６０１と、記事６０２と表示される。
【００５２】
また、図９に示されるように、消費者端末４００は、コンテンツ記事３１０に埋め込まれた切出画像表示タグを参照することで、コンテンツ管理システム２００に記憶されているコンテンツ１１０のリンク画像（コンテンツ販売先リンクが付加された切出画像）をディスプレイに表示させる。
【００５３】
図９に示されるコンテンツ記事３１０では、コンテンツのタイトル６０１と、記事６０２に加えて、埋め込まれたリンク画像６０３が表示される。リンク画像６０３は、コンテンツの内容を表すものである。そのため、記事６０２とともにコンテンツ画像６０３を消費者に確認させることで、消費者の購買意欲を高めさせることができる。なお、リンク画像が漫画などの作品の名称を含むようにしても良い。
【００５４】
リンク画像６０３が選択する入力を受け付けると、リンク画像６０３に付加されているコンテンツ販売先リンク（コンテンツを販売する）のサイト（コンテンツ販売システム５００内のサイト）が、消費者端末４００のディスプレイに表示される。これによって、消費者は、所望のコンテンツを購入できる。
【００５５】
なお、タイトル６０１を表示させずに、リンク画像６０３のみを表示させるようにしても良い。また記事６０２とリンク画像６０３のみを表示させるようにしても良い。
＜全体処理＞
【００５６】
図１０は、本発明の一実施の形態における全体処理の概要を示す図である。例えば、全体処理は、外部端末３００が、コンテンツ管理システム２００にリンク画像の生成を要求した場合に開始する。
まず、Ｓ１００１にて、外部端末３００は、コンテンツ管理システム２００に、コンテンツ１１０を特定するためのコンテンツＩＤを送信する。
【００５７】
次に、Ｓ１００２にて、コンテンツ管理システム２００は、Ｓ１００１にて送信されたコンテンツＩＤを受信する。そして、コンテンツ管理システム２００の画像切出画面提供部２１０は、Ｓ１００１にて送信されたコンテンツＩＤと対応するコンテンツ１１０をコンテンツ記憶部２３０から取得する。
【００５８】
次に、Ｓ１００３にて、コンテンツ管理システム２００の画像切出画面提供部２１０は、コンテンツ記憶部２３０から取得したコンテンツ１１０に基づき、画像切出画面（前述、図４）を生成する。
次に、Ｓ１００４にて、コンテンツ管理システム２００の画像切出画面提供部２１０は、Ｓ１００３にて生成した画像切出画面を外部端末３００へ提供する。
次に、Ｓ１００５にて、外部端末３００のディスプレイは、Ｓ１００４にて提供された画像切出画面（前述、図４）を表示する。
【００５９】
次に、Ｓ１００６にて、外部端末３００は、切出画像３０５が切り出される画像３０１を選択するための入力を受け付ける。画像切出画面を介していずれかの画像３０１が選択されると、Ｓ１００７へ進む。
次に、Ｓ１００７にて、外部端末３００は、Ｓ１００６にて選択された画像３０１を特定するための画像特定情報をコンテンツ管理システム２００へ送信する。
【００６０】
次に、Ｓ１００８にて、コンテンツ管理システム２００の画像切出画面提供部２１０は、Ｓ１００７にて送信された画像特定情報から特定される画像３０１を被切出画像３０３として、選定する。そして、コンテンツ管理システム２００の画像切出画面提供部２１０は、画像切出領域３０４を指定する入力を受け付けるための画像切出画面（前述、図５）を生成する。
次に、Ｓ１００９にて、コンテンツ管理システム２００の画像切出画面提供部２１０は、Ｓ１００８にて生成した画像切出画面を外部端末３００へ提供する。
【００６１】
次に、Ｓ１０１０にて、外部端末３００のディスプレイは、前述した図５に示される画像切出画面を表示する。外部端末３００が、画像切出領域３０４の範囲を指定するための入力を受け付けると、Ｓ１０１１へ進む。
【００６２】
次に、Ｓ１０１１にて、外部端末３００は、Ｓ１０１０にて入力を受け付けた画像切出領域３０４の範囲を特定するための画像切出領域データをコンテンツ管理システム２００へ送信する。
【００６３】
次に、Ｓ１０１２にて、コンテンツ管理システム２００は、Ｓ１０１１にて送信された画像切出領域データを受信する。そして、コンテンツ管理システム２００の切出画像提供部２２０は、受信した切出領域特定データに基づき、Ｓ１００２にて取得したコンテンツ１１０から切出画像３０５を切り出す。その後、コンテンツ管理システム２００は、切出領域特定データに基づき、前述した図６や図７に示される、切り出した切出画像３０５を含む画像切出画面を生成する。
次に、Ｓ１０１３にて、コンテンツ管理システム２００の画像切出画面提供部２１０は、Ｓ１０１２にて生成した画像切出画面を外部端末３００へ提供する。
【００６４】
次に、Ｓ１０１４にて、外部端末３００のディスプレイは、前述した図６や図７に示される画像切出画面を表示する。外部端末３００が、リンク画像生成ボタン３０７を押下する入力を受け付けると、Ｓ１０１５へ進む。
次に、Ｓ１０１５にて、外部端末３００は、切出画像表示タグをコンテンツ管理システム２００に要求する。
【００６５】
次に、Ｓ１０１６にて、コンテンツ管理システム２００の切出画像提供部２２は、Ｓ１００２で受信したコンテンツＩＤをキーにコンテンツ記憶部２３０を検索し、対応するコンテンツ販売先リンク（ＵＲＬ）を取得する。
【００６６】
次に、Ｓ１０１７にて、コンテンツ管理システム２００の切出画像提供部２２０は、Ｓ１０１２にて受信した切出領域特定データと、Ｓ１０１６にて取得したコンテンツ販売先リンクと、Ｓ１００６にて選択された画像３０１が記憶されている位置とを含む切出画像表示タグを発行する。また、切出画像提供部２２０は、Ｓ１００２にて受信したコンテンツＩＤと、発行した切出画像表示タグと、Ｓ１０１２にて受信した切出領域特定データを対応付けて、コマデータ記憶部２４０に記憶する。
次に、Ｓ１０１８にて、コンテンツ販売システム２００は、Ｓ１０１７にて発行した切出画像表示タグを含むコード表示画面（前述、図１１）を外部端末３００に送信（提供）する。
＜本実施の形態の効果＞
【００６７】
以上説明した本実施の形態によれば、切出画像提供部２２０が、コンテンツ１１０のコンテンツ販売先リンクを切出画像３０５に付加したリンク画像６０３を生成することで、コンテンツの販売を促進できる。
【００６８】
また、コンテンツ１１０が、コンテンツ提供者端末１００によりアップロードされているものであるため、コンテンツ１１０がメディアによって不正に利用されることを抑制できる。
【００６９】
また、画像切出画面が、画像切出領域３０４の被切出画像３０３内における位置を移動させるための入力を受け付けることで、キャラクターの顔などが切出画像３０５内に漏れなく納めやすくできる。
【００７０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００７１】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【００７２】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【００７３】
１０…コンテンツ販促システム、
１００…コンテンツ提供者端末、  
２００…コンテンツ管理システム、２１０…画像切出画面提供部、２２０…切出画像提供部、２３０…コンテンツ記憶部、
３００…外部端末、
４００…消費者端末、
５００…コンテンツ販売システム。
【図１】
2018180612.tif 000003
【図２】
2018180612.tif 000004
【図３】
2018180612.tif 000005
【図４】
2018180612.tif 000006
【図５】
2018180612.tif 000007
【図６】
2018180612.tif 000008
【図７】
2018180612.tif 000009
【図８】
2018180612.tif 000010
【図９】
2018180612.tif 000011
【図１０】
2018180612.tif 000012
【図１１】
2018180612.tif 000013
【図１２】
2018180612.tif 000014